(57)【要約】      （修正有）【課題】はがきとして再利用が可能な金封を提供する。【解決手段】本考案に係る金封３０は、表紙１２と、該表紙１２に連接し、表紙１２の裏面側に表紙１２と重なるようにして折り返される裏表紙１４と、該裏表紙の裏側を覆うようにして折り返される折返し部１８、２０とを有する金封３０において、裏表紙１４に、裏表紙１４をはがき大に切り取れる切取箇所表示部３２が形成されていることを特徴とする。【選択図】図２
0003143718.tif 000002
【実用新案登録請求の範囲】
【請求項１】
表紙と、該表紙に連接し、表紙の裏面側に表紙と重なるようにして折り返される裏表紙と、該裏表紙の裏側を覆うようにして折り返される折返し部とを有する金封において、
前記裏表紙に、裏表紙をはがき大に切り取れる切取箇所表示部が形成されていることを特徴とする金封。
【請求項２】
前記切取箇所表示部が切取線であることを特徴とする請求項１記載の金封。
【請求項３】
前記切取線が、はがきの外形の全部もしくは一部を示す切取線であることを特徴とする請求項２記載の金封。
【請求項４】
前記切取線が、はがきのコーナー部を示す切取線であることを特徴とする請求項３記載の金封。
【請求項５】
前記切取線がミシン目であることを特徴とする請求項２記載の金封。
【請求項６】
前記はがき大に切り取れる部位に、あらかじめ慶事もしくは弔事の挨拶文が印刷されていることを特徴とする請求項１〜５いずれか１項記載の金封。
【請求項７】
前記はがき大に切り取れる部位に、あらかじめ郵便番号記載欄が印刷されていることを特徴とする請求項１〜６いずれか１項記載の金封。
【請求項８】
前記裏表紙の端縁部に、前記表紙と裏表紙との間に折り込まれる折込み部を有することを特徴とする請求項１〜７いずれか１項記載の金封。
【請求項９】
前記折返し部は、上部折返し部および下部折返し部を有し、該上部折返し部および下部折返し部が、端部側が互いに重なり合うように折り返され、該重なり合う部分にリング状の水引飾りが外装されることを特徴とする請求項１〜８いずれか１項記載の金封。
【考案の詳細な説明】
【技術分野】
【０００１】
本考案は慶弔用の金封に関する。
【背景技術】
【０００２】
わが国では、従来より、結婚式等の慶事あるいは仏事には、不祝儀袋（以下金封という）に紙幣を包んで贈り、祝意、あるいは弔意を表す習慣となっている（例えば特許文献１）。
図３は、最も一般的な金封の展開図である。
金封１０は、表紙１２と、表紙１２に連接し、表紙１２の裏面側に表紙１２と重なるようにして折り返される裏表紙１４と、裏表紙１４の端縁部から表紙１２と裏表紙１４との間に折り込まれる折込み部１６と、裏表紙１４の裏側を覆うようにして折り返される上部折返し部１８および下部折返し部２０とを有する。
【０００３】
慶事用の金封１０の場合には、上部折返し部１８の端部が下部折返し部２０の端部の下側に来るように折り返され、この重なった部位にリング状の水引飾り２２が外装される（図４、図５）。
また、仏事用には、逆に上部折返し部１８の端部が下部折返し部２０の端部に上側から重なるように折り返されて用いられる。
【特許文献１】特開２０００−２４７３６７
【考案の開示】
【考案が解決しようとする課題】
【０００４】
ところで、従来においては、上記金封１０は、贈られた側において他に用途があるわけではないので、焼却処分するしかなく、資源の無駄となっていた。
本考案は上記事情に鑑みてなされたものであり、はがきとして再利用が可能な金封を提供することを目的としている。
【課題を解決するための手段】
【０００５】
本考案に係る金封は、表紙と、該表紙に連接し、表紙の裏面側に表紙と重なるようにして折り返される裏表紙と、該裏表紙の裏側を覆うようにして折り返される折返し部とを有する金封において、前記裏表紙に、裏表紙をはがき大に切り取れる切取箇所表示部が形成されていることを特徴とする。
【０００６】
前記切取箇所表示部が切取線であることを特徴とする。
【０００７】
前記切取線が、はがきの外形の全部もしくは一部を示す切取線であることを特徴とする。
【０００８】
前記切取線が、はがきのコーナー部を示す切取線であることを特徴とする。
【０００９】
あるいは前記切取線がミシン目であることを特徴とする。
【００１０】
また、前記はがき大に切り取れる部位に、あらかじめ慶事もしくは弔事の挨拶文が印刷されていることを特徴とする。
【００１１】
また、前記はがき大に切り取れる部位に、あらかじめ郵便番号記載欄が印刷されていることを特徴とする。
【００１２】
また、前記裏表紙の端縁部に、前記表紙と裏表紙との間に折り込まれる折込み部を有することを特徴とする。
【００１３】
前記折返し部は、上部折返し部および下部折返し部を有し、該上部折返し部および下部折返し部が、端部側が互いに重なり合うように折り返され、該重なり合う部分にリング状の水引飾りが外装されることを特徴とする。
【考案の効果】
【００１４】
本考案に係る金封によれば、切取箇所表示部に沿って切り取ることによって、切り取った部位を「はがき」として再利用できる。そして、上記のように、挨拶文や、図案をあらかじめ印刷しておくことによって、受け取った側は、結婚や喪中の挨拶の挨拶状として直ちに用いることができる。このように、従来焼却処分していたものを再利用でき、資源の有効利用が図れる。金封として贈った側も、受け取った側も、さらにまた新たに挨拶状として受け取った側も、資源の有効利用がなされているという満足感と、ほのぼのとした暖かさを感じ取れる。
【考案を実施するための最良の形態】
【００１５】
以下本考案の好適な実施の形態を添付図面に基づき詳細に説明する。
図１は本実施の形態に係る金封３０の展開図の裏面図、図２はその正面図である。
本実施の形態における金封３０の基本構成は、図３〜図５に示す金封１０と実質的に同一である。
すなわち、金封３０は、表紙１２と、表紙１２に連接し、表紙１２の裏面側に表紙１２と重なるようにして折り返される裏表紙１４と、裏表紙１４の裏側を覆うようにして折り返される上部折返し部１８および下部折返し部２０とを有する。
また、裏表紙１４の端縁部に、表紙１２と裏表紙１４との間に折り込まれる折込み部１６を設けるとよい。
【００１６】
慶事用の金封１０の場合には、上部折返し部１８の端部が下部折返し部２０の端部の下側に来るように折り返され、この重なった部位にリング状の水引飾り２２が外装される。
また、仏事用には、逆に上部折返し部１８の端部が下部折返し部２０の端部に上側から重なるように折り返されて用いられる。
【００１７】
本考案において特徴とするところは、裏表紙１４に、裏表紙１４をはがき大に切り取れる切取箇所表示部３２が形成されている点にある。
この切取箇所表示部３２は、使用者がハサミ等でこの切取箇所表示部３２を目安として切り取ることによって、切り取った部位を「はがき」として使用可能とするものである。
【００１８】
したがって、切取箇所表示部３２は、単にコーナー部を示す、十字状の切取線であってもよいし、あるいは「はがき」の外形の全部もしくは一部を示す切取線であってもよい。
あるいは、切取線は、ミシン目であってもよい。ミシン目のときは、ハサミを用いることなく切り取ることができる。
【００１９】
また、本実施の形態では、裏表紙１４の、前記はがき大に切り取れる部位に、あらかじめ慶事もしくは弔事の挨拶文３４（図１に印刷部位のみを示す）が印刷されていることを特徴とする。
挨拶文は、例えば、「私たち結婚しました。幸せいっぱい  がんばります。よろしくお願いいたします。お近くにお越しの際には、ぜひお立ち寄りください。」等の文章とする。また、適当な図案を印刷しておくのでもよい。
【００２０】
また、挨拶文は、例えば、「喪中につき新年のご挨拶をご遠慮させていただきます    月に    が永眠いたしました。ここに本年中賜りましたご厚情を深謝申し上げ  明年も変わらぬご交誼のほどをお願い申し上げます  なお時節柄ご自愛専一のほどお祈り申し上げます」等の文章とする。
【００２１】
また、はがき大に切り取れる部位の、上記挨拶文が記載されている面と反対側の面に、郵便番号記載欄（７桁の枠）３６をあらかじめ印刷しておくと好適である。
【００２２】
本実施の形態における金封３０は、切取箇所表示部に沿って切り取ることによって、切り取った部位を「はがき」として再利用できる。そして、上記のように、挨拶文や、図案をあらかじめ印刷しておくことによって、受け取った側は、結婚や喪中の挨拶の挨拶状として直ちに用いることができる。このように、従来焼却処分していたものを再利用でき、資源の有効利用が図れる。金封として贈った側も、受け取った側も、さらにまた新たに挨拶状として受け取った側も、資源の有効利用がなされているという満足感と、ほのぼのとした暖かさを感じ取れるものである。
【００２３】
上記はがき大に切り取れる部位は、裏表紙１４の部位であり、そして、この裏表紙１４の部位は、通常は折返し部１８、２０によって覆い隠されているので、金封として用いるのに何らの支障もない。
【図面の簡単な説明】
【００２４】
【図１】金封の裏面側の展開図である。
【図２】金封の正面側の展開図である。
【図３】従来の金封の裏面側の展開図である。
【図４】折返し部を折り返した状態の説明図である。
【図５】金封の正面図である。
【符号の説明】
【００２５】
３０  金封
１２  表紙
１４  裏表紙
１６  折込み部
１８  上部折返し部
２０  下部折返し部
２２  水引き飾り
３２  切取箇所表示部
３４  挨拶文
３６  郵便番号記載蘭
【図１】
0003143718.tif 000003
【図２】
0003143718.tif 000004
【図３】
0003143718.tif 000005
【図４】
0003143718.tif 000006
【図５】
0003143718.tif 000007